(57)【要約】【課題】画像品質を損なうことなく効果的に記録媒体の表面から静電気を除去することができるキャリッジを提供すること。【解決手段】画像形成材を記録媒体に対して吐出する吐出ヘッドを搭載し、記録媒体の搬送方向と交差する方向に吐出ヘッドを往復移動させるキャリッジであって、往復移動中に記録媒体の除電をする除電手段を有し、除電手段は、キャリッジの往復移動方向の中央を挟んだ両側に各々配置されていて、記録媒体との距離が当該記録媒体の搬送方向の上流側と下流側では異なる除電部材を備える、キャリッジによる。【選択図】図５
2020199634.tif 000002
【特許請求の範囲】
【請求項１】
画像形成材を記録媒体に対して吐出する吐出ヘッドを搭載し、前記記録媒体の搬送方向と交差する方向に前記吐出ヘッドを往復移動させるキャリッジであって、
往復移動中に前記記録媒体の除電をする除電手段を有し、
前記除電手段は、前記キャリッジの往復移動方向の中央を挟んだ両側に各々配置されていて、前記記録媒体との距離が当該記録媒体の搬送方向の上流側と下流側では異なる除電部材を備える、
ことを特徴とするキャリッジ。
【請求項２】
前記除電手段は、前記キャリッジが往復移動するときの移動方向の反対側に配置されている前記除電部材を、前記記録媒体の表面から離れる位置で保持するに除電部材保持機構を備える、
ことを特徴とする請求項１に記載のキャリッジ。
【請求項３】
前記除電部材は、
前記キャリッジに搭載されている吐出ヘッドのうち、搬送方向の最上流側に搭載されている吐出ヘッドよりもさらに上流側に配置される第一除電部材と、
前記第一除電部材よりも搬送方向の下流側に配置される複数の第二除電部材と、を有し、
前記第二除電部材の各々における前記記録媒体との距離は、当該記録媒体の搬送方向上流側よりも搬送方向下流側が長い、
ことを特徴とする請求項１又は２に記載のキャリッジ。
【請求項４】
前記第一除電部材における前記記録媒体との距離は、当該記録媒体に接触する程度の距離であり、
前記第二除電部材のそれぞれにおける前記記録媒体との距離は、当該記録媒体に吐出された画像形成材に接触しない程度の距離であり、
ことを特徴とする請求項３に記載のキャリッジ。
【請求項５】
前記第二除電部材のそれぞれにおける前記記録媒体に対する距離は、前記記録媒体の搬送方向上流側から下流側にかけて段階的に長くなっている、
ことを特徴とする請求項３に記載のキャリッジ。
【請求項６】
前記第二除電部材は、前記記録媒体の搬送方向上流側に配置される当該第二除電部材の有効除電電流値よりも、前記記録媒体の搬送方向下流側に配置される当該第二除電部材の有効除電電流値が大きい材質からなるである、
ことを特徴とする請求項３乃至５のいずれか一項に記載のキャリッジ。
【請求項７】
前記除電部材は前記キャリッジに搭載されたジャム検知部材に取り付けられている、
ことを特徴とした請求項１乃至６のいずれか一項に記載のキャリッジ。
【請求項８】
記録媒体に画像形成材を吐出する吐出ヘッドと、当該吐出ヘッドを搭載したキャリッジと、前記キャリッジを前記記録媒体の搬送方向と交差する主走査方向に往復移動させる駆動手段と、を有する画像形成装置であって、
前記キャリッジは、請求項１乃至７のいずれか一項に記載のキャリッジであることを特徴とする画像形成装置。
【発明の詳細な説明】
【技術分野】
【０００１】
本発明は、キャリッジ及び画像形成装置に関する。
【背景技術】
【０００２】
主に液体を成分とする画像形成材（例えば、液体インクなど）を吐出する吐出ヘッドを搭載したキャリッジを、シート状の記録媒体に対して往復移動させながら画像を形成する画像形成装置が知られている。このような画像形成装置では、記録媒体の表面（記録媒体表面）に静電気が生じる場合がある。記録媒体表面に静電気が生じていると、吐出ヘッドから吐出された画像形成材が狙い通りの位置に着弾せず、形成される画像が不鮮明になることがある。
【０００３】
画像の質を向上させるために記録媒体表面から静電気を除去する方法が知られている。例えば、記録媒体表面にアルコールや静電気除去材などの薬品を噴霧して清掃する方法が知られている。しかしこの場合、噴霧したアルコール等をユーザが清掃する必要があり手間が生ずる。また、清掃に用いた薬品の影響によって形成される画像の品質が低下することもある。
【０００４】
また、薬品などを用いることなく静電気を除去する方法として、吐出ヘッドを搭載したキャリッジに除電部材を取り付け、この除電部材を記録媒体表面に接触させて除電する方法も知られている。しかし、既に画像が形成されている記録媒体表面に除電部材が接触すると、形成された画像を乱すことになる。そこで、除電部材を記録媒体表面に近接あるいは離間する方向などの移動させることで画像形成面を除電する静電気除去装置が開示されている（特許文献１を参照）。
【発明の概要】
【発明が解決しようとする課題】
【０００５】
特許文献１の開示されている静電気除去装置は、画像形成装置に適用する場合、除電部材を記録媒体表面に対して近接又は離間させるための機構を必要とし、コストが増大する。また、記録媒体表面との距離の調整が適切に行われなければ、除電部材が記録媒体表面に形成された画像に強く当たって擦れてしまう。
【０００６】
特に、キャリッジを複数回往復させながら画像形成材を重ねて画像を形成する場合、キャリッジに搭載された除電部材の上流側と下流側では、記録媒体上に形成された画像面との距離が異なる。したがって、特許文献１に開示されている技術を用いる場合は、記録媒体表面上の位置に応じて、記録媒体表面に対する除電部材の距離を調整しなければ、形成された画像の質を低下させる、という課題がある。
【０００７】
本発明は、画像品質を損なうことなく効果的に記録媒体の表面から静電気を除去することができるキャリッジを提供することを目的とする。
【課題を解決するための手段】
【０００８】
上記技術的課題を解決するため、本発明の一態様は、画像形成材を記録媒体に対して吐出する吐出ヘッドを搭載し、前記記録媒体の搬送方向と交差する方向に前記吐出ヘッドを往復移動させるキャリッジであって、往復移動中に前記記録媒体の除電をする除電手段を有し、前記除電手段は、前記キャリッジの往復移動方向の中央を挟んだ両側に各々配置されていて、前記記録媒体との距離が当該記録媒体の搬送方向の上流側と下流側では異なる除電部材を備える、ことを特徴とする。
【発明の効果】
【０００９】
本発明によれば、画像品質を損なうことなく効果的に記録媒体の表面から静電気を除去することができる。
【図面の簡単な説明】
【００１０】
【図１】本発明に係る画像形成装置の一実施形態の概略構成を示す一部透視斜視図。
【図２】本実施形態に係る画像形成装置を側面方向から示す模式図。
【図３】本実施形態に係る画像形成部の概略構成を示す一部透視平面図。
【図４】本実施形態に係る制御部の概略構成を示すブロック図。
【図５】本発明に係るキャリッジの一実施形態の概略構成を示す（ａ）一部透視正面図、（ｂ）一部透視側面図。
【図６】本実施形態に係るキャリッジの動作の例を示す一部透視正面図。
【発明を実施するための形態】
【００１１】
以下、本発明に係るキャリッジ、及び当該キャリッジを搭載した画像形成装置の実施形態について、図面を参照しながら説明する。まず、画像形成装置の実施形態について説明する。なお、以下の説明において同一の構成箇所については図面上にて同じ符号を付し、重複する説明を省略する。
【００１２】
［画像形成装置の実施形態］
図１は、本発明に係る画像形成装置の一実施形態であるインクジェット記録装置１００の概略構成を斜め上方向から一部透視して示す図である。図２は、インクジェット記録装置１００を側面方向から示す模式図である。図３は、インクジェット記録装置１００が備える画像形成部１０４の要部を一部透視して示す平面図である。
【００１３】
図１に示すように、インクジェット記録装置１００は、装置本体１０１と、給送装置１０２と、巻取装置１０３と、を備える。なお、記録媒体である被搬送物は、ロール状に巻くことが可能なシート状のものである。当該記録媒体には、例えば、用紙、コート紙、厚紙、ＯＨＰ、プラスチックフイルム、プリプレグ、銀箔などが含まれる。本実施形態では、用紙をロール状にしたロール紙１２０を例として取り上げて説明を行う。
【００１４】
給送装置１０２は、ロール紙１２０を装置本体１０１の内部に供給する。装置本体１０１の内部には、図１中の矢印のＢ方向で示される搬送方向に供給されたロール紙１２０に画像を形成する画像形成部１０４が配置されている。
【００１５】
画像形成部１０４は、両側板にガイド部材であるガイドロッド１及びガイドステー２が掛け渡され、これらのガイドロッド１及びガイドステー２にキャリッジ１１０が図１中の矢印のＡ方向で示される主走査方向へ移動可能に支持される。巻取装置１０３は、画像が形成されたロール紙１２０を巻き取る。
【００１６】
図２に示すように、インクジェット記録装置１００の給送装置１０２には、中空軸部１１５に用紙が巻かれたロール体１１２が保持されている。巻取装置１０３には、ロール紙１２０を巻き取る中空軸部１１４が備えられていて、この中空軸部１１４にロール体１１２が巻き取られる。なお、給送装置１０２および巻取装置１０３は、装置本体１０１と別体でなく一体的に構成してもよい。
【００１７】
給送装置１０２は、給送装置１０２によるロール紙１２０の給送量を検知する給送センサ１０２ａ、給送ローラ１０２ｂを備えており、給送ローラ１０２ｂは、給送モータ１０２ｃ（図４参照）の駆動により回転する。巻取装置１０３は、巻取装置１０３によるロール紙１２０の巻取量を検知する巻取センサ１０３ａ、巻取ローラ１０３ｂを備えており、巻取ローラ１０３ｂは、巻取モータ１０３ｃ（図４参照）の駆動により回転する。
【００１８】
したがって、給送装置１０２から送り出されたロール紙１２０は、搬送手段２１によって画像形成部１０４の直下に搬送されて画像が形成され、巻取装置１０３において巻き取られる。
【００１９】
後述する制御部２００（図４参照）は、給送モータ１０２ｃおよび巻取モータ１０３ｃを駆動制御することで、ロール紙１２０に一定の張力が加わるようにロール紙１２０の搬送を制御する。このとき、搬送中のロール紙１２０には、一定のトルクが加わるため、ロール紙１２０の弛みを無くように搬送することができる。給送ローラ１０２ｂおよび巻取ローラ１０３ｂは、図２中の円弧状の矢印方向にそれぞれ回転している。
【００２０】
図２に示されるように、装置本体１０１側には、給送装置１０２のロール体１１２から引き出されるロール紙１２０をガイドするガイド部材１３０と搬送ガイド部材２５の下流で吸引後のロール紙１２０をガイドする排紙ガイド部材１３１とが配置されている。巻取装置１０３は、芯部材である紙管等の中空軸部１１４を有している。ロール紙１２０の先端は中空軸部１１４にテープ等で接着されている。
【００２１】
搬送手段２１は、給送装置１０２から給紙されるロール紙１２０を搬送する搬送ローラ２３と、これに対向して配置された加圧ローラ２４と、ロール紙１２０の搬送量を検知するエンコーダなどからなる副走査センサ２１ａ（図４参照）と、搬送ローラ２３を回転させる副走査モータ２１ｂ（図４参照）とを有する。
【００２２】
搬送ローラ２３および加圧ローラ２４は搬送制御手段を構成する。そして、搬送ローラ２３の下流側に複数の吸引穴が形成された搬送ガイド部材２５と、搬送ガイド部材２５の吸引穴から吸引を行う吸引手段としての吸引ファン２６と、が備えられる。
【００２３】
インクジェット記録装置１００は、画像形成時にキャリッジ１１０を主走査方向に移動し、給送装置１０２のロール体１１２から引き出されてガイド部材１３０に沿って案内されるロール紙１２０を搬送手段２１によって間欠的に搬送する。
【００２４】
そして、記録ヘッド１１１ａ〜１１１ｃを画像情報（印字情報）に応じて駆動して液体を吐出させることにより、ロール紙１２０上に所要の画像が形成される。この画像形成されたロール紙１２０は、排紙ガイド部材１３１に案内され、巻取装置１０３内の中空軸部１１４に巻きとられる。搬送ローラ２３上のロール紙１２０は、給送装置１０２側、巻取装置１０３側のそれぞれから張力が付与されながら搬送される。
【００２５】
図３に示すように、キャリッジ１１０には、画像形成材である液体インクをロール紙１２０に向けて吐出する液体吐出ヘッドと、液体吐出ヘッドに液体を供給するヘッドタンクを一体にした複数（ここでは３個）の記録ヘッド１１１ａ〜１１１ｃが搭載されている。また、キャリッジ１１０には、液体インクなどの画像形成材が吐出される位置にロール紙１２０があるか否かを検知するメディア検知センサ６ｓが搭載されている。
【００２６】
主走査方向の一方側にはキャリッジ１１０を往復移動させる駆動源である主走査モータ８が配置されている。この主走査モータ８によって駆動プーリ９が回転駆動される。そして、駆動プーリ９と主走査方向の他方側に配置された従動プーリ１０との間にタイミングベルト１１が掛け回されている。このタイミングベルト１１にキャリッジ１１０のベルト保持部が固定されている。したがって、主走査モータ８を駆動することによってキャリッジ１１０を主走査方向に往復移動させることができるように構成されている。主走査モータ８、駆動プーリ９、従動プーリ１０、タイミングベルト１１及び主走査モータ８の駆動を制御する制御部（図４参照）によって、駆動手段が構成される。
【００２７】
ここで、記録ヘッド１１１は、主走査方向（矢印Ａ方向）と直交する副走査方向に対して位置をずらして配置されている。副走査方向はロール紙１２０の搬送方向である。すなわち、記録ヘッド１１１ａがキャリッジ１１０の搬送方向最上流側に配置されていて、記録ヘッド１１１ｃがキャリッジ１１０の搬送方向最下流側に配置されている。
【００２８】
記録ヘッド１１１のそれぞれ（記録ヘッド１１１ａ〜１１１ｃ）は、画像形成材の吐出口であるノズルが副走査方向に配列されて形成されたノズル列を、主走査方向に複数配置して備えている。このノズル列はそれぞれ、異なる色の画像を形成するための画像形成材（例えば液体インク）と吐出するように構成されている。例えば、記録ヘッド１１１ａが備える４列のノズル列は、列毎に黄色（Ｙ）、シアン（Ｃ）、マゼンタ（Ｍ）、黒（Ｋ）の異なる色の液体インクを吐出するように構成されている。なお、本実施形態に係る記録ヘッド１１１では、記録ヘッド１１１ａと１１１ｂは、それぞれ同様の色の液体インクを吐出するように構成されている。として、記録ヘッド１１１ｃは、オレンジ（Ｏ）と緑（Ｇ）の液体インクを吐出するノズル列を二列ずつ備えている。
【００２９】
これにより、記録ヘッド１１１のそれぞれのノズル口からそれぞれの色の液体インクを吐出させながら、キャリッジ１１０をロール紙１２０の幅方向に対して往復移動させ、ロール紙の画像形成面に液体インクを重ねながら、所定の画像を形成することができる。
【００３０】
また、キャリッジ１１０の移動方向に沿ってエンコーダシート１２が配置され、キャリッジ１１０にはエンコーダシート１２を読み取るエンコーダセンサ１３が設けられている。これらのエンコーダシート１２及びエンコーダセンサ１３によってリニアエンコーダ１４を構成し、リニアエンコーダ１４の出力からキャリッジ１１０の位置及び速度を検出する。
【００３１】
キャリッジ１１０の主走査領域のうち、記録領域では、給送装置１０２からロール紙１２０が給送される。その後、搬送手段２１によってキャリッジ１１０の主走査方向と直交する副走査方向（紙搬送方向）に間欠的にロール紙１２０が搬送される。
【００３２】
記録ヘッド１１１ａ〜１１１ｃのヘッドタンクには、装置本体１０１に対して交換可能に装着されるメインタンクであるインクカートリッジ７０（図１参照）から供給チューブを介して各色インクが供給される。また、キャリッジ１１０の主走査方向の一方側には、搬送ガイド部材２５の側方に記録ヘッド１１１ａ〜１１１ｃの維持回復を行う維持回復機構８０（図１参照）が配置されている。
【００３３】
以上の説明は、ロール体１１２を保持する給送装置１０２を備えるインクジェット記録装置１００を本発明の実施形態とするものである。本発明に係る画像形成装置の形態としては、これに限定されるものではない。例えば、ロール体１１２を保持する給送装置１０２を備えた液体を吐出する装置（液体吐出装置）であってもよい。
【００３４】
液体吐出装置は、液体吐出ヘッド又は液体吐出ユニットを備え、液体吐出ヘッドを駆動させて、液体を吐出させる装置である。液体を吐出する装置には、液体が付着可能なものに対して液体を吐出することが可能な装置だけでなく、液体を気中や液中に向けて吐出する装置も含まれる。
【００３５】
この液体吐出装置は、液体が付着可能なものの給送、搬送、排紙に係わる手段、その他、前処理装置、後処理装置等も含むことができる。液体吐出装置としては、例えば、インクを吐出させて用紙に画像を形成する装置である画像形成装置や、立体造形物（三次元造形物）を造形するために、粉体を層状に形成した粉体層に造形液を吐出させる立体造形装置（三次元造形装置）がある。
【００３６】
また、液体吐出装置は、吐出された液体によって文字、図形等の有意な画像が可視化されるものに限定されるものではない。例えば、それ自体意味を持たないパターン等を形成するもの、三次元像を造形するものも含まれる。
【００３７】
液体が付着可能なものとは、液体が少なくとも一時的に付着可能なものであって、付着して固着するもの、付着して浸透するもの等を意味する。具体例としては、用紙、記録紙、記録用紙、フィルム、布等の被記録媒体、電子基板、圧電素子等の電子部品、粉体層（粉末層）、臓器モデル、検査用セル等の媒体であり、特に限定しない限り、液体が付着するすべてのものが含まれる。
【００３８】
上述した液体が付着可能なものの材質は、紙、糸、繊維、布帛、皮革、金属、プラスチック、ガラス、木材、セラミックス、壁紙や床材等の建材、衣料用のテキスタイル等の液体が一時的でも付着可能であればよい。液体は、インク、処理液、ＤＮＡ試料、レジスト、パターン材料、結着剤、造形液、又は、アミノ酸、たんぱく質、カルシウムを含む溶液及び分散液等も含まれる。
【００３９】
また、液体吐出装置は、液体吐出ヘッドと液体が付着可能なものとが相対的に移動する装置があるが、これに限定するものではない。具体例としては、液体吐出ヘッドを移動させるシリアル型装置、液体吐出ヘッドを移動させないライン型装置等が含まれる。
【００４０】
さらに、液体吐出装置としては、他にも用紙の表面を改質する等の目的で用紙の表面に処理液を塗布するために処理液を用紙に吐出する処理液塗布装置がある。また、原材料を溶液中に分散した組成液を、ノズルを介して噴射させて原材料の微粒子を造粒する噴射造粒装置等もある。
【００４１】
上述した液体吐出ユニットとは、液体吐出ヘッドに機能部品、機構が一体化したものであり、液体の吐出に関連する部品の集合体である。例えば、液体吐出ユニットは、ヘッドタンク、キャリッジ１１０、供給機構、維持回復機構８０、主走査移動機構の構成の少なくとも一つを液体吐出ヘッドと組み合わせたもの等が含まれる。
【００４２】
ここで、一体化とは、例えば液体吐出ヘッド、機能部品、機構が締結、接着、係合等で互いに固定されているもの、一方が他方に対して移動可能に保持されているものを含む。また、液体吐出ヘッド、機能部品、機構が互いに着脱可能に構成されていてもよい。
【００４３】
例えば液体吐出ユニットとして、液体吐出ヘッドとヘッドタンクとが一体化されているものがある。また、チューブ等で互いに接続されて、液体吐出ヘッドとヘッドタンクとが一体化されているものがある。
【００４４】
ここで、これらの液体吐出ユニットのヘッドタンクと液体吐出ヘッドとの間にフィルタを含むユニットを追加することもできる。また、液体吐出ユニットとして、液体吐出ヘッドとキャリッジとが一体化されているものがある。
【００４５】
さらに、液体吐出ユニットとして、液体吐出ヘッドを走査移動機構の一部を構成するガイド部材に移動可能に保持させて、液体吐出ヘッドと走査移動機構とが一体化されているものがある。また、液体吐出ユニットとして、液体吐出ヘッドとキャリッジと主走査移動機構が一体化されているものがある。因みに、主走査移動機構は、ガイド部材単体も含むものとする。
【００４６】
加えて、液体吐出ユニットとして、液体吐出ヘッドが取り付けられたキャリッジ１１０に維持回復機構８０の一部であるキャップ部材を固定させ、液体吐出ヘッドとキャリッジと維持回復機構８０とが一体化されているものがある。
【００４７】
その他、液体吐出ユニットとして、ヘッドタンクもしくは流路部品が取付けられた液体吐出ヘッドにチューブが接続されて、液体吐出ヘッドと供給機構とが一体化されているものがある。因みに、供給機構は、チューブ単体、装填部単体も含むものする。
【００４８】
また、液体吐出ヘッドは、使用する圧力発生手段が限定されるものではない。例えば圧電アクチュエータ（積層型圧電素子）を使用するものでもよい。それ以外にも、発熱抵抗体等の電気熱変換素子を用いるサーマルアクチュエータ、振動板と対向電極とから成る静電アクチュエータ等を使用するものでもよい。なお、明細書中の用語における画像形成、記録、印字、印写、印刷、造形等はいずれも同義語とする。
【００４９】
［インクジェット記録装置１００の制御機構］
次に、インクジェット記録装置１００の制御機構について図４を用いて説明する。なお、これまでの説明において説明した構成については、図４に同一の符号を付して示し、重複する説明を省略する。
【００５０】
インクジェット記録装置１００は、演算機能、液体吐出制御機能、センサ信号検知機能、モータ駆動制御機能を実現する制御部２００によって制御される。制御部２００は、ＣＰＵ２１０、ＦＰＧＡ（Ｆｉｅｌｄ−Ｐｒｏｇｒａｍｍａｂｌｅ  Ｇａｔｅ  Ａｒｒａｙ）２２０、モータドライバ２３０を含んで構成される。
【００５１】
インクジェット記録装置１００に実装されている演算機能、液体吐出制御機能、センサ信号検知機能、モータ駆動制御機能は、ＣＰＵ２１０とＦＰＧＡ２２０が協働することによって実現される。また、ＣＰＵ２１０は、インクジェット記録装置１００に搭載されている各モータの動作を、それぞれのモータに対応したモータドライバ２３０を用いて制御する。
【００５２】
制御部２００には、リニアエンコーダ１４およびメディア検知センサ６ｓの出力値が入力され、制御部２００は、この値に基づいてキャリッジ１１０の位置および速度を検出する。そして、制御部２００は、検出したキャリッジ１１０の位置および速度に基づいて主走査モータ８を制御する。
【００５３】
また、制御部２００には、副走査センサ２１ａが検知したロール紙１２０の搬送量が入力される。制御部２００は、入力されたロール紙１２０の搬送量に基づいて副走査モータ２１ｂを制御する。
【００５４】
さらに、制御部２００には、巻取センサ１０３ａが検知したロール紙１２０の巻取量が入力される。制御部２００は、入力されたロール紙１２０の巻取量に基づいて巻取モータ１０３ｃを制御する。
【００５５】
さらに、制御部２００には、給送センサ１０２ａが検知したロール紙１２０の給送量が入力される。制御部２００は、入力されたロール紙１２０の給送量に基づいて給送モータ１０２ｃを制御する。
【００５６】
キャリッジ１１０には、除電部材１５１（図５参照）をロール紙１２０の表面（記録媒体表面、また画像形成面とも表記する。）から離間する方向に移動させる除電部材移動機構１５２が搭載されている。除電部材移動機構１５２は、主走査モータ８の回転方向に応じて動作をし、除電部材１５１を記録媒体表面から離間する位置に移動させる。除電部材移動機構１５２による除電部材１５１の移動は、この除電部材１５１が記録媒体表面から離間すればいので、移動量の調整などは不要である。また、除電部材移動機構１５２による除電部材１５１の移動は、後述するようにキャリッジ１１０の内部に収納されるように移動してもよい。また、除電部材１５１のキャリッジ１１０への取付部分を回転軸として先端を回動させ、除電部材１５１の先端が記録媒体表面から離れる状態にできればよい。
【００５７】
除電部材移動機構１５２は、キャリッジ１１０が往復移動するときに、その移動方向に応じて除電部材１５１の先端を記録媒体表面から離間させる位置で保持する。このとき、除電部材移動機構１５２は、キャリッジ１１０の移動方向の反対側に配置されている除電部材１５１を離間位置に移動させて保持する。言い換えると、除電部材１５１は、キャリッジ１１０を往復移動時の移動方向（すなわち主走査モータ８の回転方向）に応じて、より詳しくは、移動方向の反対側に配置されているものが記録媒体表面から離間する方向に移動させられる。移動した除電部材１５１は、移動の契機となったキャリッジ１１０の移動方向が変わるまでは、記録媒体表面から離間した位置で保持される。除電部材移動機構１５２による除電部材１５１の移動は、キャリッジ１１０の移動によって、移動方向の反対側に配置されている除電部材１５１が記録媒体表面に接しうる位置に至るまでの間に離間位置に移動していればよい。除電部材移動機構１５２は、除電部材保持機構を構成する。
【００５８】
［キャリッジ１１０の実施形態］
次に、キャリッジ１１０の構成について詳細に説明する。図５（ａ）は、ロール紙１２０の搬送方向（副走査方向）の下流側からキャリッジ１１０を見た場合の一部透過正面図である。図５（ｂ）は、キャリッジ１１０を主走査方向の一方側から見た場合の一部透過側面図である。
【００５９】
図５（ａ）に示すように、キャリッジ１１０は、複数の記録ヘッド１１１（１１１ａ、１１１ｂ、１１１ｃ）が主走査方向に並ぶ様に配置されている。すでに説明したとおり、この複数の記録ヘッド１１１は、主走査方向の並びにおいて、副走査方向の位置が異なるように配置されている。そして、各記録ヘッド１１１が吐出した液体インクによって記録媒体表面に画像が形成されるが、キャリッジ１１０が往復移動しながら液体インクを吐出することで記録媒体表面に液体インクが層を形成するように付着する。したがって、画像が形成された記録媒体表面は搬送方向の下流側に向かうにつれて、記録ヘッド１１１との距離が短くなる。言い換えると、記録媒体表面は、キャリッジ１１０の往復移動位置を通過するにつれて、搬送方向の下流側が高くなる。
【００６０】
キャリッジ１１０は、記録ヘッド１１１の並びに対する主走査方向外側にジャム検知フィラー１１３を備えている。搬送中のロール紙１２０がジャム検知フィラー１１３に接触すると、搬送異常をユーザに報知するように構成されている。ジャム検知フィラー１１３は、ジャム検知部材である。
【００６１】
キャリッジ１１０は、記録ヘッド１１１の並びに対する主走査方向外側の両端部に、除電手段１５０を各々備えている。除電手段１５０は、除電部材１５１と、除電部材移動機構１５２を、それぞれ備えている。
【００６２】
言い換えると、キャリッジ１１０は、主走査方向の両端部（往復移動方向両端部）において除電部材１５１を備えている。除電部材１５１は除電手段１５０に取り付けられている。なお、除電部材１５１は、ジャム検知フィラー１１３が取り付けられてもよい。さらに言い換えると、除電部材１５１は、キャリッジ１１０の移動方向（往復移動方向）の中央を挟んだ両側に、除電手段１５０が配置されていて、その各除電手段１５０には除電部材１５１が取り付けられている。
【００６３】
除電部材１５１は、ロール紙１２０に帯電した静電気を除去するための部材である。除電部材１５１は、キャリッジ１１０の主走査方向における往復移動中に、ロール紙１２０の記録媒体表面の静電気を除去する素材から形成されていて、かつ、記録媒体表面や画像形成面を荒らさない（傷つけない）素材から形成されている。
【００６４】
図５（ｂ）に示すように、除電部材１５１は、ロール紙１２０の搬送方向に複数並んで配置されている。そして、キャリッジ１１０において、ロール紙１２０の搬送方向最上流に配置されている記録ヘッド１１１ｃよりも、さらに上流側に第一除電部材１５１ａが配置されている。第一除電部材１５１ａは、キャリッジ１１０が主走査方向の往復移動をするときに、その先端部分がロール紙１２０の記録媒体表面を荒らさない程度の接触圧をもって接する寸法からなる。すなわち、第一除電部材１５１ａとロール紙１２０との距離は、往復移動中にロール紙１２０に接する程度の距離である。
【００６５】
第一除電部材１５１ａよりも搬送方向下流側には、複数の第二除電部材１５１ｂが配置されている。第二除電部材１５１ｂは、記録ヘッド１１１の副走査方向の位置に対応するように配置されている。また、第二除電部材１５１ｂは、ロール紙１２０との距離が、搬送方向上流側よりも下流側の方が長い。例えば、図５（ｂ）に例示するように、搬送方向上流側から搬送方向下流側に向かうに従って、その先端部分と記録媒体表面との距離が段階的に長くなっている。
【００６６】
言い換えると、記録ヘッド１１１が往復移動する領域内（図５におけるＣ）に配置される第二除電部材１５１ｂは、搬送方向上流から下流に向かうに従って、先端部分と画像形成面とのギャップ（隙間）が広くなるように構成されている。
【００６７】
上記のように、本実施形態に係るキャリッジ１１０は、画像が形成する前の記録媒体表面には接触することで、静電気を効果的に除去できる。また、副走査方向によって高さが異なる記録媒体表面に対しては、各記録ヘッド１１１に対応する位置において、異なる高さの除電部材１５１が配置されている。これによって、除電部材１５１が画像形成面の擦ることで画像不良を引き起こすことを避けつつ、画像形成目に溜まった静電気を除電できる。
【００６８】
また、ジャム検知フィラー１１３に除電機能を具備させることもできる。
【００６９】
［除電部材１５１の動作］
次に、キャリッジ１１０の往復動作時における除電部材１５１の動作について、図６を用いて説明する。図６（ａ）は、紙面左方向にキャリッジ１１０が移動するときの様子を例示している。図６（ｂ）は、紙面右方向にキャリッジ１１０が移動するときの様子を例示している。なお、図６においてジャム検知フィラー１１３は図示を省略している。
【００７０】
図６に示すように、キャリッジ１１０が往復移動するとき、その移動方向に相当する側に配置されている除電部材１５１は通常の位置にある。一方、移動方向の反対側に配置されている除電部材１５１は、記録媒体表面から離れる方向に移動している。
【００７１】
除電部材１５１の移動は、除電手段１５０が備える除電部材移動機構１５２による。除電部材１５１の移動態様は、図６に例示するように除電手段１５０内（または、キャリッジ１１０内）に収納されるような位置への移動でもよい。また、キャリッジ１１０の移動方向と反対側の除電部材１５１が移動によって、画像形成面に接触しない位置に至ればよいので、主走査方向のいずれかに跳ね上がるようでもよい。
【００７２】
なお、除電部材１５１のそれぞれは、主走査方向に配置されている維持回復機構８０（図１参照）によって清掃されるように構成されている。この場合、キャリッジ１１０が維持回復機構８０に移動したときには、図５に例示したように、両端部の除電部材１５１が維持回復機構８０に接触可能な状態になり、先端部に付着したホコリなどを除去できればよい。これによって、除電部材１５１を清潔に保つことができる。したがって、除電部材１５１から記録媒体表面に汚れを転写してしまうことを防ぐことができる。
【００７３】
以上のとおり、本実施形態に係るキャリッジ１１０によれば、記録媒体表面を除電部材１５１よって除電する際に、記録媒体であるロール紙１２０の搬送方向の下流に向かって、除電部材１５１と記録媒体表面の間の隙間（ＧＡＰ）を広くする構成を備える。画像の完成が近づくにつれて記録媒体表面に付着する画像形成材（液体インク）の量が増加して記録媒体表面が膨潤による浮き上がりが生じて、記録媒体表面と除電部材１５１のＧＡＰが狭くなることがある。これに対し、除電部材１５１によって画像形成面が擦れるリスクを低減させながら確実に除電できる。
【００７４】
言い換えると、除電部材１５１をキャリッジ１１０の移動方向側のみで突出させ、反対側の除電部材１５１は、記録媒体表面から離間する方向へ移動（退避）させることで、真に除電が必要な液体インク吐出前に、キャリッジ移動方向側の除電部材１５１で確実に記録媒体表面の除電を行うことができる。また、反対側の除電部材１５１によって画像形成面を擦ることを防ぐこともできる。
【００７５】
なお、除電部材１５１を構成する第二除電部材１５１ｂは、有効除電電流値が、第一除電部材１５１ａの有効除電電流値よりも大きいものを選定する。これによって、第二除電部材１５１ｂと記録媒体表面との距離に合わせて、最適な除電効果を得ることができる。
【００７６】
なお、本発明は上述した実施形態に限定されず、その技術的要旨を逸脱しない範囲で種々の変形が可能であり、特許請求の範囲に記載された技術思想に含まれる技術的事項の全てが本発明の対象となる。上記実施形態は、好適な例を示したものであるが、当業者であれば、開示した内容から様々な変形例を実現することが可能であるが、これらは添付した特許請求の範囲に記載された技術的範囲に含まれる。
【符号の説明】
【００７７】
１        ：ガイドロッド
２        ：ガイドステー
６ｓ      ：メディア検知センサ
８        ：主走査モータ
９        ：駆動プーリ
１０      ：従動プーリ
１１      ：タイミングベルト
１２      ：エンコーダシート
１３      ：エンコーダセンサ
１４      ：リニアエンコーダ
２１      ：搬送手段
２１ａ    ：副走査センサ
２１ｂ    ：副走査モータ
２３      ：搬送ローラ
２４      ：加圧ローラ
２５      ：搬送ガイド部材
２６      ：吸引ファン
７０      ：インクカートリッジ
８０      ：維持回復機構
１００    ：インクジェット記録装置
１０１    ：装置本体
１１０    ：キャリッジ
１１１    ：記録ヘッド
１１１ａ  ：記録ヘッド
１１１ｂ  ：記録ヘッド
１１１ｃ  ：記録ヘッド
１１２    ：ロール体
１１３    ：ジャム検知フィラー
１１４    ：中空軸部
１１５    ：中空軸部
１２０    ：ロール紙
１３０    ：ガイド部材
１３１    ：排紙ガイド部材
１５０    ：除電手段
１５１    ：除電部材
１５１ａ  ：第一除電部材
１５１ｂ  ：第二除電部材
１５２    ：除電部材移動機構
２００    ：制御部
２１０    ：ＣＰＵ
２２０    ：ＦＰＧＡ
２３０    ：モータドライバ
【先行技術文献】
【特許文献】
【００７８】
【特許文献１】特開２０１５−１２３６３８号公報
【図１】
2020199634.tif 000003
【図２】
2020199634.tif 000004
【図３】
2020199634.tif 000005
【図４】
2020199634.tif 000006
【図５】
2020199634.tif 000007
【図６】
2020199634.tif 000008